(57)【要約】      （修正有）【課題】追加機器を用いた特殊な制御を行わずに、圧力による継手の膨張を極小化することで、除水量の精度を向上した透析液給排装置を提供する。【解決手段】膨出方向が反転可能な球面状の膨出部を有する可撓性チャンバー膜と、チャンバー膜の両面側に配置され、球面状の膨出部に対応する球面状の凹部を有する一対のチャンバーピース９ａとを備え、一対のチャンバーピースの球面状凹部同士を対面配置して、内部にチャンバー膜の球面状膨出部の膨出方向の反転が可能な膜作動空間を形成してなる、チャンバー方式の透析液給排装置であって、膜作動空間に対し膜作動空間に臨む給液口３９ａと排液口４０ａ，４０ｂ，４２ａ，４２ｂがチャンバーピースのそれぞれに一つずつ設けられており、給液口と排液口が全て同一方向に並行に備えられており、且つ、給液口と排液口の軸線の延長線上に流路を切り替える電磁弁を有する構成とする。【選択図】図９
2019180817.tif 000002
【特許請求の範囲】
【請求項１】
膨出方向が反転可能な球面状の膨出部を有する可撓性チャンバー膜と、
該チャンバー膜の両面側に配置され、前記球面状の膨出部に対応する球面状の凹部を有する一対のチャンバーピースとを備え、
前記一対のチャンバーピースの前記球面状凹部同士を対面配置して、内部に前記チャンバー膜の球面状膨出部の膨出方向の反転が可能な膜作動空間を形成してなる、チャンバー方式の透析液給排装置であって、
前記膜作動空間に対し該膜作動空間に臨む給液口と排液口が前記チャンバーピースのそれぞれに一つずつ設けられており、
前記給液口と排液口が全て同一方向に並行に備えられており、
且つ、前記給液口と排液口の軸線の延長線上に流路を切り替える電磁弁を有する、
透析液給排装置。
【請求項２】
前記電磁弁を固定する少なくとも一つの台座とチャンバーピースが一体化されてなる、請求項１に記載の透析液給排装置。
【請求項３】
前記給液口と排液口が全て鉛直上向きに備えられてなる、請求項１または２に記載の透析液給排装置。
【請求項４】
請求項１〜３のいずれかに記載の透析液給排装置が備えられてなる、血液透析装置。
【発明の詳細な説明】
【技術分野】
【０００１】
本発明は透析液給排装置に関する。より詳細にはチャンバー方式の透析液給排装置とこれを備えた血液透析装置に関する。
【背景技術】
【０００２】
血液透析装置は、既に広く実用化されており、その代表的なものとして、たとえば図１に示すようなチャンバー方式の透析液給排装置を用いた血液透析装置が知られている（たとえば、特許文献１）。図１に示す血液透析装置１において、２は血液流路３と透析液流路４との間に透析膜５を有し、両流路３、４間で血液透析を行う血液透析要素（ダイアライザーとも呼ばれる）を示している。血液流路３には、患者の動脈側からの血液が血液回路６を通して供給され、透析済の血液が静脈側に戻される。
【０００３】
上記血液透析要素２の透析液流路４には、実質的に閉回路からなる透析液循環路７が接続され、連通されている。透析液循環路７に設けられた循環ポンプ８により、透析液循環路７の透析液往路７ａからの透析前の透析液が透析液流路４に供給され、透析済の透析液が透析液復路７ｂに戻される。この透析液循環路７は、上述の如く実質的に閉回路に構成されているが、この閉回路から後述の除水ポンプにより定量的に少量の透析液が排出されるので、それに見合う少量の水分が血液中から透析膜５を通して患者の血液中から透析液循環路７中に抜き取られる。
【０００４】
透析液循環路７の往路７ａには、チャンバーピース９ａの透析液供給室１０ａが接続され、ここから透析液往路７ａに透析前の透析液が供給される。透析液循環路７の復路７ｂには、チャンバーピース９ａの透析液受入室１１ａが接続され、透析済の透析液がここに戻される。透析液供給室１０ａと透析液受入室１１ａとは変位可能な（例えば、弾性膜からなる）可撓性のチャンバー膜１２ａによって隔離されており、透析液供給により透析液供給室１０ａが縮小した分、透析液受入室１１ａが膨張できるようになっている。
【０００５】
上記チャンバーピース９ａに加え、もう一つのチャンバーピース９ｂが設けられており、該チャンバーピース９ｂも同一の構成を有し、透析液供給室１０ｂ、透析液受入室１１ｂ、変位可能なチャンバー膜１２ｂを有している。
【０００６】
透析液循環路７のチャンバーピース９ａ、９ｂの入出口には、往路７ａ側に電磁弁からなる切替弁１３ａ、１３ｂが、復路７ｂ側に電磁弁からなる切替弁１４ａ、１４ｂが、それぞれ設けられており、これら切替弁による切り替えにより、各チャンバーピースを交互に切り替え使用できるようになっている。これらのチャンバーピースおよび切替弁からなる装置を透析液給排装置１００と呼称する。
【０００７】
切り替え使用されるチャンバーピース９ａ、９ｂのうちいずれか一方は透析のために使用されて透析液循環路７と連通されるが、他方は、透析液循環路７と遮断され、その間に新しい未使用の透析液が供給されるとともに使用済みの透析液が排出される。
【０００８】
未使用の透析液の供給は、透析休止中のチャンバーピースの透析液供給室に対し、切替弁１５ａ、１５ｂを備えた透析液供給経路１６を通して行われ、使用済みの透析液の排出は、透析休止中のチャンバーピースの透析液受入室に対し、切替弁１７ａ、１７ｂを備えた使用済透析液排出経路１８を通して行われる。
【０００９】
透析液循環路７の復路７ｂには、除水経路１９が接続されており、除水経路１９に設けられた定量ポンプからなる除水ポンプ２０により、定量的に少量の透析液が排出される。透析液循環路７は実質的に閉回路からなっているので、排出された透析液に見合う少量の水分が血液中から透析膜５を通して患者の血液中から透析液循環路７中に抜き取られることになり、抜き取られた水分と同量の、該水分を含有する透析液が除水経路１９を介して排出されることになる。この除水経路１９は、上述の使用済透析液排出経路１８へと合流されていてもよく、抜き取られた水分を含有する透析液が適当な場所へと排出されるようになっている。図示例では、透析液循環路７の往路７ａには、透析前の透析液の供給量を調整可能な流量調整弁２１と、透析液の流れのオン・オフを検知可能な流れ検出手段としてのフロースイッチ２２が設けられており、フロースイッチ２２からの信号に基づいて、それまで透析に使用していたチャンバーピースから次に透析に使用するチャンバーピースへの切替のための信号を制御手段３８から各切替弁に送ることができるようになっている。
【００１０】
透析液循環路７の復路７ｂの循環ポンプ８に対しては、リリーフ弁２３が付設されている。未使用透析液を供給する透析液供給経路１６に設けられた、例えば脱気ポンプからなる給液ポンプ２４に対しても、リリーフ弁２５が付設されている。これらリリーフ弁２３、２５により、各ポンプ８、２４からの送液先の室が満杯になった後の（直後の）、満杯になる前の（直前の）ベース圧に対するポンプ出側圧力の昇圧代が予め設定した所定の昇圧量になるようにそのときのポンプ出側圧力の上限圧力を制限できるようになっている。すなわち、図１に示す状態においては、透析液循環系Ａにおけるリリーフ弁２３では、チャンバーピース９ａの透析液受入室１１ａが満杯になった後の、満杯になる前のベース圧に対する循環ポンプ８の出側圧力の昇圧代が予め設定した所定の昇圧量に制限されるように、循環ポンプ８の出側から入側へと透析液を循環させるべく、リリーフ弁２３の開度が所定量に設定されている。また、透析液受入系Ｂにおけるリリーフ弁２５では、チャンバーピース９ｂの透析液供給室１０ｂが満杯になった直後の、満杯になる直前のベース圧に対する循環ポンプ８の出側圧力の昇圧代が予め設定した所定の昇圧量に制限されるように、給液ポンプ２４の出側から入側へと透析液を循環させるべく、リリーフ弁２５の開度が所定量に設定される。
【００１１】
上記のようなリリーフ弁２３、２５が設けられた構成において、図１に示すように、給液ポンプ２４の出側における圧力をＰ１、循環ポンプ８の出側における圧力をＰ２とすると、各圧力の挙動は、除水ポンプ２０がオフのとき、たとえば図２に示すようになる。すなわち、透析液受入系Ｂにおいては、給液ポンプ２４によるチャンバーピース９ｂの透析液供給室１０ｂへの送液により該透析液供給室１０ｂが満杯になるとともに変位可能なチャンバー膜１２ｂがチャンバーピース９ｂの一方の内面に密着すると、リリーフ弁２５が作動して透析液はリリーフ回路２６のみを循環開始する（循環開始タイミングｔ１）。透析液はリリーフ回路２６のみを循環し続け、給液ポンプ２４の出側における圧力Ｐ１は、循環開始前のベース圧に対し、リリーフ弁２５で設定されている所定の昇圧量まで昇圧し、その設定昇圧量に至った時点で給液ポンプ２４の出側圧力の上限圧力が一定値に制限される（設定昇圧量に至った時点のタイミングｔ２）。その状態にて、各切替弁の作動により給液ポンプ２４による透析液の送液先がチャンバーピース９ｂの透析液供給室１０ｂからチャンバーピース９ａの透析液供給室１０ａへ切り替えられ（切替開始タイミングｔ４）、切替が完了するとともにチャンバーピース９ａの透析液供給室１０ａへの給液ポンプ２４による透析液の送液が開始される（切替完了・送液開始タイミングｔ５）。
【００１２】
一方、透析液循環系Ａにおいては、循環ポンプ８によるチャンバーピース９ａの透析液受入室１１ａへの送液により該透析液受入室１１ａが満杯になるとともに変位可能なチャンバー膜１２ａがチャンバーピース９ａの一方の内面に密着すると、リリーフ弁２３が作動して透析液はリリーフ回路２７のみを循環開始する（循環開始タイミングｔ３）。透析液はリリーフ回路２７のみを循環し続け、循環ポンプ８の出側における圧力Ｐ２は、循環開始前のベース圧に対し、リリーフ弁２３で設定されている所定の昇圧量まで昇圧し、その設定昇圧量に至った時点で循環ポンプ８の出側圧力の上限圧力が一定値に制限される（設定昇圧量に至った時点のタイミングｔ４）。このとき、透析液循環路７内の透析液の流れが停止し、それが例えばフロースイッチ２２によって検知され、その信号に基づいて各切替弁が作動され、各切替弁の作動により循環ポンプ８による使用済み透析液の送液先がチャンバーピース９ａの透析液受入室１１ａからチャンバーピース９ｂの透析液受入室１１ｂへ切り替えられ（切替開始タイミングｔ４［上記設定昇圧量到達タイミングと実質的に同じタイミング］）、切替が完了するとともにチャンバーピース９ｂの透析液受入室１１ｂへの循環ポンプ８による使用済み透析液の送液が開始される（切替完了・送液開始タイミングｔ５［上記透析液受入系Ｂにおける切替完了・送液開始タイミングと実質的に同じタイミング］）。
【００１３】
図２に示した各圧力の挙動は、除水ポンプ２０がオフのときの挙動であるが、除水ポンプ２０がオンのときには、たとえば図３に示すように変化する（図３（Ａ）の除水ポンプＯＦＦの挙動から、図３（Ｂ）の除水ポンプＯＮの挙動に変化する）。すなわち、除水ポンプ２０がオンになると、除水ポンプ２０により定量的に少量の透析液（患者の血液中から透析膜５を通して抜き取られた水分を含有する透析液）が、実質的に閉回路に形成されていた透析液循環路７の透析液復路７ｂから排出されるので、透析液循環路７からの排出箇所で圧力が低下され（それまでのその箇所における圧力に対し、相対的な陰圧が生じ）、循環ポンプ８通過箇所の圧力のレベルが全体的に低下することとなる。循環ポンプ８通過箇所の圧力のレベルの全体的な低下量をΔＰとすると、この除水ポンプ２０がオンのときにも、リリーフ弁２３で設定されている昇圧量の上限圧力の制限機能はそのまま働くことになるので、結局、図３（Ａ）の除水ポンプＯＦＦの挙動から、循環ポンプ８の出側における圧力Ｐ２は、リリーフ回路２７における循環開始前の（リリーフ弁２３が作動する前の）ベース圧と、循環ポンプ８の送液先の透析液受入室が満杯になるとともにチャンバー膜がチャンバーピースの一方の内面に密着した際にリリーフ弁２３によって制限される上限圧力との両方が、ΔＰ分だけ低下した、図３（Ｂ）の除水ポンプＯＮの挙動に変化する。一方、循環ポンプ８の出側における圧力Ｐ２の挙動がこのように変化しても、各切替弁によって透析液循環路７（透析液循環系Ａ）とは切り離されている透析液供給経路１６（透析液受入系Ｂ）における給液ポンプ２４の出側における圧力Ｐ１の挙動は基本的に変化しない。したがって、リリーフ弁２３、２５の初期設定により、除水ポンプ２０がオフのときの循環ポンプ８の出側における圧力Ｐ２の上限制限圧力と給液ポンプ２４の出側における圧力Ｐ１の上限制限圧力とが略一致するように設定されていた場合にあっても、除水ポンプ２０がオンになると、圧力Ｐ１、Ｐ２の上限圧力間には、図３（Ｂ）に示すようにΔＰ分だけ圧力差が生じることになる。
【００１４】
このような血液透析装置のチャンバー方式の透析液給排装置には、除水ポンプで透析患者から余分な水分を除去する除水工程において、設定除水量と実際に行われた除水の量にズレが生じるという問題を有している。除水量が多くなりすぎた場合、軽度では脱力感やめまいが発生し、重度では血圧の急低下が発生する恐れがある。また、除水量が少なすぎた場合、軽度ではむくみが残り、重度では肺うっ血による呼吸困難が発生する恐れがある。このように血液透析装置において、除水量の精度（設定除水量と実際に行われた除水量の差）を向上させることは重要である。
【００１５】
除水量の精度は、未使用透析液が透析液供給室１０ａ、１０ｂに充填される際の圧力Ｐ１の上限値（充填が完了する際の圧力）と、使用済透析液が透析液受入室１１ａ、１１ｂに充填される際の圧力Ｐ２の上限値の差に影響される。圧力Ｐ２が除水ポンプ２０の作動状態に応じて変動するため、圧力の上限値に差が生じることになり、室やその室への各継手（例えば、図４に示すような室と切替弁との間の継手２８、２９）の圧力による膨張量に差が生じる。そのため、各室に充填される透析液量にズレが生じ、目標除水量からの誤差となって、除水量の精度を悪化させる。
【００１６】
上記のような除水ポンプ２０オン時の圧力差による除水量の精度の悪化の問題に対し、特許文献２には、図５に示したように、圧力センサ３６で検出した透析液受入室１１ａ、１１ｂが満杯になった後の循環ポンプ８の出側圧力Ｐ２の値と、圧力センサ３７で検出した透析液供給室１０ａ、１０ｂが満杯になった後の供給ポンプ２４の出側圧力Ｐ１の値を基に、制御装置３５が圧力制御弁３４を制御することで、図６（Ｂ）に示したように圧力Ｐ１をＰ２と等しくなるように調整する血液透析装置が開示されている。
【先行技術文献】
【特許文献】
【００１７】
【特許文献１】特開２００３−３０５１１８号公報
【特許文献２】特開２０１６−１１６６０３号公報
【発明の概要】
【発明が解決しようとする課題】
【００１８】
しかしながら、特許文献２に開示される血液透析装置は、圧力センサ等の機器が追加で必要となる分、部品点数の増加、製造コストの増加が生じてしまう。さらに、各圧力センサの検出精度や圧力制御弁の動作精度によって、圧力Ｐ１とＰ２を完全に一致させ続けることが困難であるために、圧力差によるチャンバーピース９や継手２８、２９の膨張量に差が発生してしまい、除水量の精度に影響を与える要因が残留することになる。特に継手の材質はチャンバーピースと各台座の接続部の位置ズレを吸収するために柔軟な材質（例えばシリコーンゴム）となっているため、圧力が作用すると大きく変形してしまい、除水量の精度に大きな影響を与えることになる。
【００１９】
この除水量の精度に大きな影響を与える継手が必要となる理由について、図７を用いて説明する。一つのチャンバーピースに対して、未使用透析液および使用済透析液の入口と出口を兼ねた給排液口３０、３１が一本ずつ設けられており、台座３２、３３にも未使用透析液および使用済透析液の入口と出口を兼ねた接続部が設けられている。これらの給排液口と接続部は、台座同士が干渉するため、同一軸線上に設けることが困難である。そのため、給排液口と接続部の位置ズレを吸収することが可能で、容易に着脱が行えるシリコーンゴム製の継手が流路として使用されている。
【００２０】
すなわち、本発明の課題は、追加機器を用いた特殊な制御を行わずに、圧力による継手の膨張を極小化することで、除水量の精度を向上した透析液給排装置を提供することにある。
【課題を解決するための手段】
【００２１】
上記課題を解決するために、本発明に係る血液透析装置におけるチャンバー方式の透析液給排装置は、膨出方向が反転可能な球面状の膨出部を有する可撓性チャンバー膜と、該チャンバー膜の両面側に配置され、前記球面状の膨出部に対応する球面状の凹部を有する一対のチャンバーピースとを備え、前記一対のチャンバーピースの前記球面状凹部同士を対面配置して、内部に前記チャンバー膜の球面状膨出部の膨出方向の反転が可能な膜作動空間を形成してなる、血液透析装置におけるチャンバー方式の透析液給排装置であって、前記膜作動空間に対し該膜作動空間に臨む給液口と排液口が前記チャンバーピースのそれぞれに一つずつ設けられており、前記給液口と排液口が全て同一方向に並行に備えられており、且つ、前記給液口と排液口の軸線の延長線上に流路を切り替える電磁弁を有することを特徴とするものである。
【００２２】
上記透析液給排装置においては、前記電磁弁を固定する少なくとも一つの台座とチャンバーピースが一体化されてなることが好ましい。
【００２３】
また上記透析液給排装置においては、前記給液口および排液口が全て鉛直上向きに備えられてなることが好ましい。
【発明の効果】
【００２４】
本発明のチャンバー方式の透析液給排装置によれば、追加機器を用いた特殊な制御を行わずに、圧力による継手の膨張を極小化することができ、従来のいずれの装置と比べても、除水量の精度を向上することができる。
【図面の簡単な説明】
【００２５】
【図１】従来の血液透析装置の機器系統図である。
【図２】図１の血液透析装置における除水ポンプオフ時のＰ１、Ｐ２の圧力挙動と各動作のタイミングとを示す特性図である。
【図３】図１の血液透析装置における除水ポンプオフ時および除水ポンプオン時のＰ１、Ｐ２の挙動を示す圧力特性図である。
【図４】従来の血液透析装置におけるチャンバー方式の透析液給排装置の斜視図である。
【図５】特許文献２に記載された除水量の精度を向上させた血液透析装置の機器系統図である。
【図６】図５の血液透析装置における除水ポンプオフ時のＰ１、Ｐ２の圧力挙動と各動作のタイミングとを示す特性図である。
【図７】従来の血液透析装置におけるチャンバー方式の透析液給排装置の正面図と側面図である。
【図８】従来の透析液給排装置における継手の最短化する方法を示す図である。
【図９】本発明の一実施態様に係る血液透析装置におけるチャンバー方式の透析液給排装置の正面図と側面図である。
【図１０】従来および本発明の一実施態様に係る電磁弁台座の透析液の流路図である。
【図１１】本発明の一実施態様に係る切替弁台座とチャンバーピースの給液口および排液口の接続状態を表す図である。
【図１２】本発明の別の実施態様である血液透析装置におけるチャンバー方式の透析液給排装置の正面図と側面図、斜視図である。
【図１３】除水量の精度を測定するための血液透析装置の機器系統図である。
【図１４】実施例における除水量の精度の測定結果を表すグラフである。
【図１５】比較例における除水量の精度の測定結果を表すグラフである。
【発明を実施するための形態】
【００２６】
以下に、本発明の実施の形態について、図面を参照しながら説明する。
【００２７】
血液透析装置の基本形態、およびその血液透析装置内におけるチャンバー方式の透析液給排装置の配置の基本形態は、図１に示した通りである。
【００２８】
図９に本発明の一実施態様に係る透析液給排装置の正面図（図９Ａ）および側面図（図９Ｂ）を示している。図７に図示される従来の透析液給排装置においては、一つのチャンバーピースに対して、未使用透析液および使用済透析液の入口と出口を兼ねた給排液口３０、３１が一本ずつ設けられており、台座３２、３３にも未使用透析液および使用済透析液の入口と出口を兼ねた接続部が設けられている。これらの給排液口と接続部は、台座同士の干渉によって同一軸線上に設けられないため、給排液口と接続部の位置ズレを吸収することが可能で、容易に着脱が行えるシリコーンゴム製の継手２８ａ、２８ｂ、２９ａ、２９ｂが流路として使用される。本構成において、給排液口と接続部を同一軸線上に配置することで、継手を最短化する方法としては、図８に示すとおり、チャンバーピースを図７の状態から９０°回転させて設置し、給排液口と接続部を図中の矢印の方向に移動させる必要がある。しかしながら、給排液口を移動させる場合、移動前と比較して給排液口がチャンバーピースと下方で接続されるため、チャンバーピースの上部に気泡が残留しやすい形状となる。気泡がチャンバーピース内に残留した場合、気泡の占める体積分だけ透析液の充填量が少なくなるため、除水量の精度が悪化することになる。また、台座の接続部を移動させる場合、接続部間の距離を広げる必要があるため、装置が大きくなる。透析装置の巨大化によって、病院への設置台数が減少するため好ましくない。以上の様に、従来の構成においては、気泡の残留等の新たな不具合が発生するため、シリコーンゴム製の継手を最短化することが困難であった。
【００２９】
そこで、本発明の透析液給排装置においては、給排液口を液の入口となる給液口３９、４１と液の出口となる排液口４０、４２に分けて設けられている。このような構造とすることで、図１０（Ａ）のように３方弁と２方弁を組み合わせて、複雑な透析液の注入経路と排出経路を形成していた従来の台座３２、３３を、図１０（Ｂ）のように単純な２方弁のみの流路形状とすることができる。すなわち、従来の装置では、台座に備わっていた透析液の流路をチャンバーピースに付与することで、台座を小型化することが可能となり、台座同士の干渉がなくなり、チャンバーピースを９０°回転させて設置することなく、液の給液口と排液口の軸線の延長線上に台座の接続部を設置することが可能となる。これにより、図１１に図示したように、チャンバーピースの給液口３９、４１や排液口４０、４２と台座の接続部をつき合わせて設置することが可能となり、圧力によって膨張する継手２８、２９を最短とすることができ、除水量の精度を向上することが可能となる。
【００３０】
チャンバーピースおよび台座については、切削加工で製作しても良いが、射出成形で製作したほうが、部品単価を削減することができるため好ましい。また、チャンバーピースおよび台座の材質については、透析患者に健康被害が発生しないように、生物学的安全性試験に合格する材質から選択することが好ましい。
【００３１】
また、前記チャンバーピースの給液口と排液口を全て同一方向に並行に備えることで、射出成形でチャンバーピースを製作する場合、金型のスライド方向を少なくできるため、金型費用も削減することが可能となり、メンテナンスで切替弁の交換を行う場合に、部品の着脱を行う方向が統一されるため、作業性が向上できるため好ましい。
【００３２】
前記透析液給排装置において、図１２に図示するように前記切替弁を固定する少なくとも一つの台座とチャンバーピースが一体化されてなることが好ましい。従来の台座とチャンバーピースを射出成形で一体化することは、台座が図１０（Ａ）に図示するような複数の分岐路を持つ複雑な流路形状を有しており、流路の一部が射出成形品を離型できないアンダーカットとなるため困難である。また、切削加工で一体化することは、同一金型の形状が転写される射出成形品と比較して、同等の加工精度で多数個の切削加工を行う場合、形状が複雑になる程、大幅にコストが増加することになるため好ましくない。コストを削減するため、射出成形品よりも切削品の加工精度を下げる場合は、透析液の充填部となる透析液供給室等の寸法のバラつきが大きくなることで、充填部の容量もバラつきが大きくなり、除水量の精度が悪化する。
【００３３】
このようにチャンバーピースに給液口と排液口を同一方向に設けることで、複雑な流路形状が図１０（Ｂ）に図示するように簡略化され、アンダーカットを削除することができ、台座とチャンバーピースを一体で射出成形することが可能となる。また、チャンバーピースに台座を一体化することで、チャンバーピースと台座を接続する継手そのものを削除できることから、チャンバーピースと台座の間の隙間も削減することになり装置の小型化が可能となる。さらに、チャンバーピースと台座を一体化することで、部品点数も削減されコストダウンも可能となる。
【００３４】
透析液供給経路１６および透析液循環路７、使用済透析液排出経路１８と接続されるチャンバーピースのノズル４３の方向については、図９および図１２に図示した方向に限定されず、血液透析装置の内部のレイアウトに応じて、適宜変更しても良い。
【００３５】
さらに、前記透析液給排装置においては、前記給液口および排液口が全て鉛直上向きに備えられてなることが好ましい。このように給液口と排液口を鉛直上向きとすることで、切替弁がチャンバーピースの上方に設置されることになり、切替弁の着脱作業時にチャンバーピース内に残留した液がこぼれても、切替弁が濡れ難くなり、故障を防止することが可能となる。
【実施例】
【００３６】
以下、具体的な実施例と、これとの比較例を挙げて説明するが、本発明の態様は、以下の実施例に限定されるものではない。
【００３７】
［除水量の精度の測定方法について］
血液透析装置におけるチャンバー方式の透析液給排装置の除水量の精度の測定方法について、図１３を用いて説明する。透析液供給装置１００において、前述の通り、チャンバーピース９の透析液供給室１０に未使用透析液を充填する際の圧力と透析液受入室１１に使用済透析液を充填する際の圧力の差によって、各室や継手２８、２９の膨張量に差が生じる。そのため、各室への液の充填量にズレが生じることで、目標除水量からのズレが発生する。この各室への液の充填量の差の測定には、図１３に図示するように、血液透析要素２の代わりに液を充填したメスピペット４４を透析液循環路７に接続し、メスピペット４４と透析液循環路７を繋ぐ流路に絞り４５を設置し、メスピペット４４と絞り４５の間に除水経路を接続した血液透析装置を用いる。このような構成の血液透析装置で液を循環させた場合、透析液供給室１０と透析液受入室１１の液の充填量の差が、メスピペット４４の液面の変動量として表れる。例えば、透析液供給室１０の液の充填量よりも透析液受入室１１の液の充填量の方が少量であった場合、透析液受入室１１に入りきれなかった液が透析液循環路７に残留することになり、メスピペット４４の液面が上昇することになる。また、絞り４５を図１３の位置に設けた状態で、除水ポンプ２０を作動させた場合、絞りが抵抗となることで除水ポンプの入り側の透析液循環路の圧力を調整することが可能となる。所定の圧力における単位時間当たりのメスピペット４４の液面の変動量を読み取ることで、透析液給排装置１００の除水量の精度を測定することができる。
【００３８】
［実施例１］
図９に図示するような本発明に係る透析液給排装置を、従来の血液透析装置におけるチャンバー方式の透析液給排装置を有する東レ・メディカル株式会社の透析液供給装置“ＴＲ−３３００Ｍ”の透析液給排装置に置き換えて搭載し、除水量の精度を測定した。透析液流量を７００ｍＬ／時に設定し、透析液循環路７の圧力を−３００ｍｍＨｇから３００ｍｍＨｇまでの範囲で除水量の精度を測定した結果を図１４に示す。
【００３９】
［比較例１］
従来の血液透析装置におけるチャンバー方式の透析液給排装置を有する東レ・メディカル株式会社の透析液供給装置“ＴＲ−３３００Ｍ”の除水量の精度を測定した。透析液流量を７００ｍＬ／時に設定し、透析液循環路７の圧力を−３００ｍｍＨｇから３００ｍｍＨｇまでの範囲で除水量の精度を測定した結果を図１５に示す。
【００４０】
除水量の精度は、透析液の圧力によらずに０ｍＬ／時となる状態が理想となる。つまり、傾きが０で切片が０の直線に近づくほど、除水量の精度が良いことを表す。比較例１においては、傾きが０．１０２で切片が−１４．８の直線となるのに対して、実施例１においては、傾きが０．０６５８で切片が−１４．７の直線となり、理想状態の直線（傾き０、切片０）との差を傾きで３５．５％、切片で０．６７６％も削減できていることから、本発明に係る透析液給排装置によって除水量の精度を大幅に向上することができる。
【産業上の利用可能性】
【００４１】
本発明の透析液給排装置は、あらゆるチャンバー方式の血液透析装置に適用でき、それによって除水精度の大幅な向上を達成できる。
【符号の説明】
【００４２】
１  血液透析装置
２  血液透析要素（ダイアライザー）
３  血液流路
４  透析液流路
５  透析膜
６  血液回路
７  透析液循環路
７ａ  透析液往路
７ｂ  透析液復路
８  循環ポンプ
９ａ、９ｂ  チャンバーピース
１０ａ、１０ｂ  透析液供給室
１１ａ、１１ｂ  透析液受入室
１２ａ、１２ｂ  チャンバー膜
１３ａ、１３ｂ、１４ａ、１４ｂ、１５ａ、１５ｂ、１７ａ、１７ｂ  切替弁
１６  透析液供給経路
１８  使用済透析液排出経路
１９  除水経路
２０  除水ポンプ
２１  自動流量調整弁
２２  フロースイッチ
２３、２５  手動リリーフ弁
２４  給液ポンプ
２６、２７  リリーフ回路
２８ａ、２８ｂ  継手（未使用透析液用）
２９ａ、２９ｂ  継手（使用済透析液用）
３０ａ、３０ｂ  給排液口（未使用透析液用）
３１ａ、３１ｂ  給排液口（使用済透析液用）
３２  台座（未使用透析液用）
３３  台座（使用済透析液用）
３４  圧力制御弁
３５  制御装置
３６、３７  圧力センサ
３８  制御手段
３９ａ、３９ｂ  給液口（未使用透析液用）
４０ａ、４０ｂ  排液口（未使用透析液用）
４１ａ、４１ｂ  給液口（使用済透析液用）
４２ａ、４２ｂ  排液口（使用済透析液用）
４３  ノズル
４４  メスピペット
４５  絞り
１００  透析液給排装置
Ｐ１  給液ポンプの出側圧力
Ｐ２  循環ポンプの出側圧力
【図１】
2019180817.tif 000003
【図２】
2019180817.tif 000004
【図３】
2019180817.tif 000005
【図４】
2019180817.tif 000006
【図５】
2019180817.tif 000007
【図６】
2019180817.tif 000008
【図７】
2019180817.tif 000009
【図８】
2019180817.tif 000010
【図９】
2019180817.tif 000011
【図１０】
2019180817.tif 000012
【図１１】
2019180817.tif 000013
【図１２】
2019180817.tif 000014
【図１３】
2019180817.tif 000015
【図１４】
2019180817.tif 000016
【図１５】
2019180817.tif 000017